(57)【特許請求の範囲】
【請求項１】
吸引機（吸出機）本体の前部、上部、底部、両側部を覆い収納するための、主に屋内に置かれる吸引機（吸出機）収納部と、この吸引機（吸出機）収納部の前部に設けられた、収納された吸引機（吸出機）の換気管を該吸引機（吸出機）収納部の外に該吸引機（吸出機）の排気が漏れ出さないように出すための換気管出し部と、この換気管出し部に設けられた、通された換気管を包み紐などで縛り締め閉じるようにする筒状の柔軟性シート製部材からなる引き出し穴閉じ部と、前記吸引機（吸出機）収納部の後部に突き出すように設けられた、前記吸引機（吸出機）収納部に収納された吸引機（吸出機）の排気を屋外に排出するための排出ダクト部と、以上のごとく構成されてなることを特徴とする吸引機（吸出機）の排気補助具。
【請求項２】
掃除機などの吸引機（吸出機）を収納する吸引機（吸出機）収納部を有し、前部が開口した換気管出し部となっていて、後部が開口され、全体形態が柔軟性シート製部材の筒状体であって、換気管を取り付けた前記吸引機（吸出機）を前記吸引機（吸出機）収納部に収納した状態で前記換気管出し部を、前記換気管を包み締めるように紐等で縛るなどして閉じることができるようにしてなることを特徴とする吸引機（吸出機）の排気補助具。
【請求項３】
後部の開口部に素早く簡単に平状態に畳め且つ素早く簡単に広げて四角形の排気口を形成することができる排気口形成体を設けてなることを特徴とする請求項２記載の吸引機（吸出機）の排気補助具。
【請求項４】
前部および後部が開口した筒状の柔軟性シート製部材からなるとともに、掃除機などの吸引機（吸出機）の排気口側胴部を前記前部の開口で包み締め閉じるようにしてなる胴部取付部を有してなることを特徴とする吸引機（吸出機）の排気補助具。
【請求項５】
前部が開口した箱体と、この箱体の前記開口に取り付けられた筒状の柔軟性シート製部材からなる吸引ダクトを包み締め閉じるようにしてなる前部塞ぎ部（開口閉じ体）と、前記箱体に設けられた排気ファンと、とからなることを特徴とする吸引機（吸出機）。
【請求項６】
戸と戸口枠に挟み置くための前部が開口された箱体と、この箱体の前記前部の開口に設けられた筒状の柔軟性シート状部材からなる前部塞ぎ部と、前記箱体の後部に設けられた排気口と、前記箱体内あるいは屋外側となる該箱体外側に設けられた排気ファン（吸引機（吸出機）・換気扇）と、以上のごとく構成されてなることを特徴とする吸引機（吸出機）。
【請求項７】
主に介護などされる者の臀部横に置いて使用する前部が開口してなる箱体からなるボックス本体、このボックス本体の適宜な部位に設けられた吸引用穴とからなり、この吸引用穴に差し込まれあるいは取り付けられて前記ボックス内の空気を吸い出すための換気管を取り付けるようにしてなる脱臭ボックスと、吸引機（吸出機）を収納する吸引機（吸出機）収納部、この吸引機（吸出機）収納部の全部あるいは一部が、前部が開口してなる柔軟性シート状部材からなっていて、前記吸引機（吸出機）収納部に前記換気管を付けた吸引機（吸出機）を収納した状態で前記柔軟性シート状部材の前記開口からなる換気管出し部を該換気管を外に出した状態で紐等で縛るなどして閉じることができるようにしてなる吸引機（吸出機）の排気補助具と、以上のごとく構成されてなることを特徴とする脱臭装置。
【請求項８】
前部が開口した脱臭ボックス本体と、この脱臭ボックス本体に空けられた吸出し口と、この吸出し口に設けられた筒状の柔軟性シート製部材からなる換気用連結部と、とからなり、吸引管を換気用連結部に入れ該換気用連結部を閉じ、該吸引管と該換気用連結部を結束連結するようにしてなることを特徴とする脱臭ボックス。
【請求項９】
ボックス本体と、このボックス本体の適宜な面に設けられた汚物を出し入れしたり、猫や犬などの小動物が出入りしたりできる開口と、前記ボックス本体の適宜な面に設けられた、該ボックス本体内の臭気を外に吸い出すための吸引ダクト（ホースを含む）を差し込むためのダクト差込口と、このダクト差込口の外側に設けられた、該ダクト差込口に差し込まれた吸引ダクトを包み外れないように固定するための筒状の柔軟性シート部材からなるシートダクトと、以上のごとく構成されてなることを特徴とする脱臭ボックス。
【発明の詳細な説明】
【０００１】
【発明の属する技術分野】
本発明は主に介護などされる者のオムツ交換時の臭気を屋外に強制排気するのに適した吸引機（吸出機）の排気補助具、吸引機（吸出機）、脱臭装置並びに脱臭ボックスに関する。
【０００２】
【従来技術】
本出願人は特願平１１−１９２４５３において、主に寝たきりなどの介護などされる者のオムツ交換時の臭気を屋外に排気するための、主に家庭用吸引機（吸出機）にと連絡させて使用する「脱臭ボックス」の発明を出願している。また、掃除機からなる吸引機（吸出機）（排気装置・排気ファン）のレキシブルホースからなる換気管にフレキシブルホースからなる延長管を付け、吸引機（吸出機）本体を屋外に出しておいて長くした延長ホースにより部屋の掃除をするという方法があった。
【０００３】
【発明が解決しようとする課題】
上述した従来技術は何れも、サッシ戸や障子戸をあけて吸引機（吸出機）本体を屋外に出してホースを戸で挟んだ状態で使用するものであった。このため、戸の外側に縁側や廊下などの吸引機（吸出機）本体を置く場所がないと使用し難いという問題を持っていた。また、挟んだホース分だけ戸と戸口枠の間に隙間が生ずるので、風向きによっては臭気や塵が当該隙間から部屋に進入して来る、虫が入ってくる、冬の場合は寒気が部屋に入ってきて室温を低下させるなどの問題を持つものであった。また、掃除機からなる吸引機（吸出機）は換気管が細いために、換気管の吸込み口に風が強く当り騒音が大きくなるので、集合住宅や住宅密集地などの夜間は使用し難いという欠点を持つものであった。しかるに、介護は臭気との闘いであるといっても過言ではない。多くの介護する者及び家族が臭気の解消を切望している。
【０００４】
本発明は以上のような従来技術の持つ問題点に鑑みてなされたものであって、その目的は、吸引機（吸出機）本体を屋内に置いたまま、屋外に排気を行うことを可能とする吸引機（吸出機）の排気補助具（換気用部材連結具）、吸引機（吸出機）、脱臭装置並びに脱臭ボックスの提供を目的としている。
【０００５】
【課題を解決するための手段】
上述した目的を達成するために本発明は次に述べるようになっている。
＜請求項１記載の発明＞  
吸引機（吸出機）本体の前部、上部、底部、両側部を覆い収納するための、主に屋内に置かれる吸引機（吸出機）収納部と、この吸引機（吸出機）収納部の前部に設けられた、収納された吸引機（吸出機）の換気管を該吸引機（吸出機）収納部の外に該吸引機（吸出機）の排気が漏れ出さないように出すための換気管出し部と、この換気管出し部に設けられた、通された排気管を包み紐などで縛り締め閉じるようにする筒状の柔軟性シート製部材からなる引き出し穴閉じ部と、前記吸引機（吸出機）収納部の後部に突き出すように設けられた、前記吸引機（吸出機）収納部に収納された吸引機（吸出機）の排気を屋外に排出するための排出ダクト部と、以上のごとく構成されてなることを特徴とする吸引機（吸出機）の排気補助具を構成している。
【０００６】
＜請求項２記載の発明＞  
掃除機などの吸引機（吸出機）を収納する吸引機（吸出機）収納部を有し、前部が開口した換気管出し部となっていて、後部が開口され、全体形態が柔軟性シート製部材の筒状体であって、換気管を取り付けた前記吸引機（吸出機）を前記吸引機（吸出機）収納部に収納した状態で前記換気管出し部を、前記換気管を包み締めるように紐等で縛るなどして閉じることができるようにしてなることを特徴とする吸引機（吸出機）の排気補助具を構成している。
【０００７】
＜請求項３記載の発明＞  
請求項２記載の発明の構成において、後部の開口部に素早く簡単に平状態に畳め且つ素早く簡単に広げて四角形の排気口を形成することができる排気口形成体を設けてなることを特徴とする排気補助具を構成している。
【０００８】
＜請求項４記載の発明＞  
前部および後部が開口した筒状の柔軟性シート製部材からなるとともに、掃除機などの吸引機（吸出機）の排気口側胴部を前記前部の開口で包み締め閉じるようにしてなる胴部取付部を有してなることを特徴とする吸引機（吸出機）の排気補助具を構成している。
【０００９】
＜請求項５記載の発明＞  
前部が開口した箱体と、この箱体の前記開口に取り付けられた筒状の柔軟性シート製部材からなる吸引ダクトを包み締め閉じるようにしてなる前部塞ぎ部（開口閉じ体）と、前記箱体に設けられた排気ファンと、とからなることを特徴とする吸引機（吸出機）を構成している。
【００１０】
【００１１】
【００１２】
【００１３】
【００１４】
【００１５】
＜請求項６記載の発明＞  
戸と戸口枠に挟み置くための前部が開口された箱体と、この箱体の前記前部の開口に設けられた筒状の柔軟性シート状部材からなる前部塞ぎ部と、前記箱体の後部に設けられた排気口と、前記箱体内あるいは屋外側となる該箱体外側に設けられた排気ファン（吸引機（吸出機）・換気扇）と、以上のごとく構成されてなることを特徴とする吸引機（吸出機）を構成している。
【００１６】
【００１７】
【００１８】
＜請求項７記載の発明＞  
主に介護などされる者の臀部横に置いて使用する前部が開口してなる箱体からなるボックス本体、このボックス本体の適宜な部位に設けられた吸引用穴とからなり、この吸引用穴に差し込まれあるいは取り付けられて前記ボックス内の空気を吸い出すための換気管を取り付けるようにしてなる脱臭ボックスと、吸引機（吸出機）を収納する吸引機（吸出機）収納部、この吸引機（吸出機）収納部の全部あるいは一部が、前部が開口してなる柔軟性シート状部材からなっていて、前記吸引機（吸出機）収納部に前記換気管を付けた吸引機（吸出機）を収納した状態で前記柔軟性シート状部材の前記開口からなる換気管出し部を該換気管を外に出した状態で紐等で縛るなどして閉じることができるようにしてなる吸引機（吸出機）の排気補助具と、以上のごとく構成されてなることを特徴とする脱臭装置を構成している。
【００１９】
＜請求項８記載の発明＞  
前部が開口した脱臭ボックス本体と、この脱臭ボックス本体に空けられた吸出し口と、この吸出し口に設けられた筒状の柔軟性シート製部材からなる換気用連結部と、とからなり、吸引管を換気用連結部に入れ該換気用連結部を閉じ、該吸引管と該換気用連結部を結束連結するようにしてなることを特徴とする脱臭ボックスを構成している。
【００２０】
【００２１】
【００２２】
＜請求項９記載の発明＞  
ボックス本体と、このボックス本体の適宜な面に設けられた汚物を出し入れしたり、猫や犬などの小動物が出入りしたりできる開口と、前記ボックス本体の適宜な面に設けられた、該ボックス本体内の臭気を外に吸い出すための吸引ダクト（ホースを含む）を差し込むためのダクト差込口と、このダクト差込口の外側に設けられた、該ダクト差込口に差し込まれた吸引ダクトを包み外れないように固定するための筒状の柔軟性シート部材からなるシートダクトと、以上のごとく構成されてなることを特徴とする脱臭ボックスを構成している。
【００２３】
【００２４】
【００２５】
【発明の実施の形態】
本発明の実施の形態を図面を参照しながら説明する。
＜実施の形態１＞  図１は本発明の実施の形態１の吸引機（吸出機）補具の平ら状態にした斜視図、図２は同じ実施の形態１の吸引機（吸出機）補助具を筒体にした状態を示す斜視図、図３は同じ実施の形態の戸の隙間塞ぎ具を示す斜視図、図４は同じ実施の形態１の戸の隙間塞ぎ具の戸への取付状態を示す斜視図、図５は同じ実施の形態１の吸引機（吸出機）補助具を戸と戸口枠に挟み戸の隙間に戸の隙間塞ぎ具をセットした状態を示す斜視図、図６は同じ実施の形態１の吸引機（吸出機）補助具の吸引機（吸出機）収納部に吸引機（吸出機）を収納した状態を示す部分斜視図、図７は同じ実施の形態１の吸引機（吸出機）補助具の吸引機（吸出機）収納部に吸引機（吸出機）を収納し開口を閉じた状態を示す斜視図、図８は同じ実施の形態１の脱臭ボックスに吸引機（吸出機）の換気管を接続した状態を示す斜視図、図９は同じ実施の形態１の脱臭装置の使用状態例を示す斜視図である。
【００２６】
介護などされる者のオムツ交換時の臭気を屋外に排出する脱臭装置１は、吸引機（吸出機）２の換気管３が取り付けられ介護などされる者の臀部の横に置かれる脱臭ボックス４と、電気掃除機からなる吸引機（吸出機）２の本体を屋内に置いたまま収納して該２が吸引した臭気を屋外に排出させるための吸引機（吸出機）補助具５と、臭気を屋外に排出させるために戸口枠に挟んだ吸引機（吸出機）補助具５によって生じた戸の隙間を塞ぐための戸の隙間塞ぎ具６とからなっている。
【００２７】
吸引機（吸出機）補助具５は、縦長の長方形開口を有するダンボール部材製筒状体からなる排気口形成体７の前部に、該７と略同じ（この場合少し大きめ）柔軟性のポリエチレンシート部材製筒状体からなる吸引機（吸出機）収納部８の後部が取り付けられ、一つの筒状体を形成するようになっている。排気口形成体７は押し畳んで平ら状態にすることができ、吸引機（吸出機）収納部８も合わせて折り畳み折り畳んだ排気ダックト７の範囲内に折り揃えて、結束したり包装したりして平ら状態のまま出荷、輸送、販売できるようになっている。これにより、保管費用、輸送料を安価にでき、販売面積を少なくできるので店舗での販売がし易く、また、購入者も手に持帰ることができ、車のなかでも場所をとらないで運べるという利点がある。また、使用後は折り畳んでどこかの隙間に挟んで収納しておけるなど場所をとらないのでしよう勝手がよい。排気口形成体７の側部には縦長の突出した戸ストッパー９（ダンボール長板材の中程に折り込みを設け、一方の側を排気口形成体７に貼り付けたもの）が設けられ、戸１０で戸口枠１１に排気口形成体７を挟んだ場合に、屋内側から戸１０に当たりそれ以上屋外に排気口形成体７が動くのを止める役割を果たすと共に隙間を塞ぐ役割を果たす。排気口形成体７の上部の戸ストッパー９と同じ並びに該９と同じように折り上げることができるようにして設けられた戸の隙間塞ぎ具６を戸との間に挟んで下部を支持する隙間塞ぎ具係止部１１が設けられている。隙間塞ぎ具係止部１２を排気口形成体７の両横あるいは一方に突出させる構成とすることにより、戸ストッパーの役割も果たすので、戸ストッパー９を設けなくともよく、より低コストにすることができる。排気口形成体７の底部前方で吸引機（吸出機）収納部８内には、排気口形成体７に折り入れ収納できるようにされ且つ前方に突き出され敷かれるようになってる、吸引機（吸出機）２により下に抑えるための抑え舌片１３が設けられている。吸引機（吸出機）２を吸引機（吸出機）収納部８に収納する場合、抑え舌片１３を吸引機（吸出機）２の底で抑えることにより、吸引機（吸出機）収納部８のシートの底部が盛り上がり吸引機（吸出機）２の排気口を塞ぐのを防止ためのものである。吸引機（吸出機）収納部８の前方外側には、該８の開口を縛り閉じるための紐からなる締め閉じ手段１４が設けられている。
【００２８】
排気口形成体はダンボール製部材に限るものではない。例えば、ダンボール製部材と同じ様な構成のポリエチレン製部材などの合成樹脂製部材とし、ポリエチレン製部材の吸引機（吸出機）収納部を融着して取り付けるものもよい、接着剤の使用しなくてよい。また、排気口形成体と吸引機（吸出機）収納部をポリエチレン製部材などの合成樹脂部材で一体成形にて形成するものもよい。この場合、展開状態の平板状態に成形して両端を融着する方法により型代を安価にすることができる。吸引機（吸出機）補助具の製造方法については、例えば、一枚の柔軟性合成樹脂製部材（吸引機（吸出機）収納部）を広げ流し、所定の折り目の付いた平ら板部材（排気口形成体）を置き張り合わせ（融着、接着、粘着テープによる離れないように接合など）、折り上げたり折り畳んで両端を融着などにより離れないように接合せて形成する。
【００２９】
戸の隙間塞ぎ具６は、ダンボール製部材の長板体からなる塞ぎ具本体１７と、該７を排気口形成体７と同じ幅に折り畳めるようにした複数の折り目１８、１８と、塞ぎ具本体１７を戸１０に係止するための洗濯挟みからなる取付手段１９を挿入する挿入孔からなる取付案内部２０が、戸１０に隙間なく係止できる間隔で設けられている。取付案内部２０は取付手段１９の挟持爪２１の一方が通り抜けて戸を外側から挟持すると共に操作レバー２２が取付案内部２０の縁に当たり塞ぎ具本体１７をバネにより挟持しようとする（操作レバー２２は開こうとする）その反発力で戸口枠１０に押しつけるように機能するようになってる。これにより、戸１０と戸口枠１１に隙間ができないように塞ぎ具本体１７を係止することができる。
【００３０】
図５及び図７において、筒体に広げた吸引機（吸出機）補助具５の排気口形成体７を戸ストッパー９を屋内側にして戸１０と戸口枠１の間に挟み込む。戸の隙間塞ぎ具６の下部を塞ぎ塞ぎ具係止部１２と戸１０の間に挟み込んで、取付手段１９を取付案内部２０に差込み戸１０と塞ぎ具本体１７を挟持して隙間を塞ぐ。図６において、吸引機（吸出機）収納部８の前部開口から電源コード２５をコンセントまで届く長さを引き出した吸引機（吸出機）２を、抑え舌片１３を底で下方に抑えるようにして収納する。開口から出ている電源コード２５と換気管３を開口を萎め包んで締め閉じ手段１４で縛り閉じて排気が漏れないようにする。
【００３１】
脱臭ボックス４は次ぎに述べるような構成となっている。介護などされる者の尻の側部側床に置いて使用する、底部に包装シート（図示せず）を敷いてオムツや汚物を置き収納しておけるボックス本体３０と、このボックス本体３０の開口された前部からなる開口部３１と、ボックス本体３０の背面壁の上方（背部と側部にあけられている）にあけられた換気管３を取り付けて該３０の外に臭気を吸い出すようにするための孔からなる換気管取付部３２と、介護などされる者の臀部付近から立ち上り拡散しようとする悪臭をより多くボックス本体３１内に引き込むために、ボックス本体３１の前部上方が介護などされる者の身体に被さる被さり部３３を設け、被さり部３３の下方の両壁部を凹形成しされた腹部や腿等の一部が入る身体入り部３４を設けている。さらに、ボックス本体３０をより介護などされる者２の臀部に近づけ介護などされる者の臀部付近からの悪臭を更により多くボックス本体内３０内に引き込むために、介護などされる者の突き出た臀部の一部がボックス本体３０の底部床３５に少し入るように、底部床３５の略中央の一部を凹み形成してなる臀部入り部３６を設けている。また、ボックス本体３０の底部床３５の横幅が、新聞紙に合成樹脂製柔軟ラップを挟んで二つ折りにしてなる包装シートを底部床３５に敷いた場合、包装シート３５の新聞紙部分が、数センチから十センチ程度がボックス本体３０の両側壁に立ち上がる幅に形成されている。また、天井上部にはふき取りペーパーなどの部材を置いた場合に、それが落ちないように立ち上げ縁３７が設けられている。以下に述べる実施の形態の説明に置いて、前述した実施の形態の説明と同じ構成には同じ符号を付してその説明を省略する。
【００３２】
＜実施の形態２＞
図１０は本発明の実施の形態２の吸引機（吸出機）補助具を示す斜視図である。吸引機（吸出機）補助具４０は、吸引機（吸出機）補助具５の構成の隙間塞ぎ係止部１２の構成を、該１２より戸側に突き出させて取付案内部２０を設け、ある程度長くして隙間を塞げるようにした隙間塞ぎ係止部４１とし、戸ストッパー９を設けない構成としたものである。取付案内部２０の戸側に突き出させたに部分が戸に当たって、排気口形成体７が屋外に落ちないように止めると共に、取付手段１９（図示せず）により屋内側にも動かないよう係止することができる。
【００３３】
＜実施の形態３＞  図１１は本発明の実施の形態３の吸引機（吸出機）補助具を示す組立分解図及び組立使用図である。吸引機（吸出機）補助具４３は、縦長の長方形開口を有するダンボール部材製筒状体からなる排気口形成体４４と、この排気口形成体４４より長いダクト対応部４５と吸引機（吸出機）収納部４６からなる柔軟性のポリエチレンシート部材製筒状体からなる柔軟性筒体４７（排気口形成体４４より開口が大きい）とからなっている。排気口形成体４４は押し畳んで平ら状態にすることができる。排気口形成体４４の側部には縦長の突出した戸ストッパー４８が起こし形成できるように切り込みが入れられ、排気口形成体４４の上部の戸ストッパー４８と同じ並びに該４８と同じように切り込みが入れられて起こし上げることができるようにして設けられた戸の隙間塞ぎ具６を戸との間に挟んで下部を支持する隙間塞ぎ具係止部４９が設けられている。柔軟性筒体４７の吸引機（吸出機）収納部４６前方には締め閉じ手段１４が設けられている。排気口形成体４４の前方開口からダクト対応部４５を通して該４４の後方開口から該４５の後方に一部を出し、出したダクト対応部４５を外側に折り畳んで排気口形成体４４の開口縁に被せて紐や粘着テープで固定する。５０は縛り紐である。
【００３４】
＜実施の形態４＞  図１２は本発明の実施の形態４の吸引機（吸出機）補助具の製造工程を示す斜視図である。吸引機（吸出機）補助具５２は、展開状態にした排気口形成体４４（抑え舌片１３付き）の戸ストッパー４９を過ぎた部位に接着剤５３を塗布し、展開排気口形成体４４より幅広でダクト対応部５４と吸引機（吸出機）収納部５５からなる柔軟性シート製部材５６を、ダクト対応部５４を展開排気口形成体４４に両側にはみ出しができるように置き接着剤５３で該４４に貼り付ける。展開排気口形成体４４を折畳んで、合わせられた柔軟性シート製部材５６のはみ出し部分を含め融着あるいは接着（接合部５７）する。排気口形成体４４をポリエチレン製部材やポリエチレン製薄シートをコーティングすることにより接着剤ではなく、融着により融合固定するのがよい。あるいは、排気口形成体がダンボール製部材からなる場合は、ポリエチレン製部材の粘着テープを接着剤５３の部位に貼り付け、ポリエチレン製部材からなる柔軟性シート製部材を融着するのがよい。
【００３５】
＜実施の形態５＞  図１３は本発明の実施の形態４の吸引機（吸出機）補助具の製造工程を示す斜視図である。吸引機（吸出機）補助具６０は吸引機（吸出機）補助具５の吸引機（吸出機）収納部８をそのままあるいは短くした、吸引機（吸出機）２の胴部の適宜な部位を開口で包み締め閉じるようにしてなる胴部取付体６１としたものである。
【００３６】
＜実施の形態６＞  図１４は本発明の実施の形態６の吸引機（吸出機）補助具の使用状態を示す斜視図である。吸引機（吸出機）収納具６３は、全体が防音製部材（例えばダンボール製部材板の内側にフェルト材やグラスウール材などの防音材を張ったものを含む。）からなる、上部が開口した箱体からなる吸引機（吸出機）収納部６４と、該６４の背部に突設された防音製部材（例えばダンボール製部材板の内側にフェルト材やグラスウール材などの防音材を張ったものを含む。）排気口形成体６５と、吸引機（吸出機）収納部６４の上部を塞ぐ防音製部材からなる蓋６６とからなっている。排気口形成体６５の内部には消音壁が何重かに渡って設けられ屋外への排気音が小さくなるようにしている。吸引機（吸出機）収納部６４の換気管３や電源コード２５を引き出す引き出し穴７０は、外側に柔軟性防音部材６７とその外側を包囲し且つ開口で換気管３を包み締め閉じるようにする柔軟性シート部材からなる引き出し穴閉じ部６８からなっている。引き出し穴閉じ部６８の開口は紐６９などで縛り締め閉じるようにする。吸引機（吸出機）２の動作音、排気音を小さくできるので深夜などでも、家族や近所に気兼ねなく使用できるものである。使用は吸引機（吸出機）収納部６４を屋内の戸口近くに置き、排気口形成体６５を戸口に戸に挟んで屋外に出して吸引された臭気を屋外に強制排出する。図では電源コード２５は排気口形成体６５から出して屋内に引き込むようにしているが、引き出し穴閉じ部６８から先に電源コード２５を必要な長さだけ引き出してから、換気管３を差込み、収納してある吸引機（吸出機）２に取り付けるのがよい。
【００３７】
＜実施の形態７＞  ]図１５は本発明の実施の形態７の吸引機（吸出機）を示す断面図である。吸引機（吸出機）７１は次のような構成となっている。筐体（箱体）７２の内部に静音設計の排気ファン（吸引機（吸出機）・換気扇）７３が設けられている。筐体７２の前部にはフレキシブルな吸引ダクト７７が設けられ、筐体７２の背部には排気口形成体７３が設けられ、筐体７２の底部には床への振動の伝達を抑え且つ床を傷つけないようにするためのゴム製や合成樹脂製や、フェルト製部材などからなる防震手段７４が設けられ、さらに床に安定的に置けるようになっている。防震手段は側部にも設けて、戸口や戸にも振動が伝わらないようにするのがよい。戸口には隙間を塞ぐ戸の隙間塞ぎ具７５が堅固に取付固定されていて、下部には排気口形成体通し孔７６が設けられている。
【００３８】
＜実施の形態８＞  図１６は本発明の実施の形態８の吸引機（吸出機）を示す斜視図である。吸引機（吸出機）８０は、四角形の前部が開口し戸口に挟む箱体８１と、開口に設けられた柔軟性シート製部材からなる前部塞ぎ部（開口閉じ体）８２と、戸口に挟んだ場合に戸や戸口縁突出部などに屋内側から当たり箱体８１が屋外に落ちないようにするための横移動させて位置を調節できる係止板８３と、該８３を固定する固定ネジ８４と、屋外側に位置する箱体８１の上部に設けた排気ファン８５と、箱体８１の底部、上部並びに両側部には振動の家屋への振動を抑え家屋を傷つけないようにするための防震手段８６と、係止板８３にあけられた該８３を隙間塞ぎ具７５などにネジなどにより固定するための固定用孔８７とかなっている。前部塞ぎ部８２に吸引ダクト７７を通し、紐６９などで閉じ締め開口を塞いで吸引ダクト７７を吸引機（吸出機）８０に取り付ける。箱体８１を戸口に挟んで、屋内の臭気を屋外に排出する。
【００３９】
＜実施の形態９＞  図１７は本発明の実施の形態９の吸引機（吸出機）を示す斜視図である。吸引機（吸出機）９０は、吸引機（吸出機）本体９１の排気口９２が排気口形成体９３をはめ込んで取り付けができ且つ取り外しができるよう突出していて、排気口形成体９３は戸口に底部及び側部に隙間が生じないように戸で挟持できるように四角形となっている。排気口形成体９２は抜け防止ボタン９５が溝９６に填ることにより排気口９２に装着すると、抜け防止ボタン９５を操作しなければ外れないようになっている。排気口形成体９２の側部には縦に突起からなる戸ストッパー９４が設けられ、戸口に挟持してセットした際に屋該側から戸に当たり、引っ張られたりしても屋屋内に排気口形成体９３が行かないようになっている。排気口形成体９３は戸口の隙間ができるだけ小さくなるよう、できるだけ薄くするのがよい。また、吸引機（吸出機）本体９１の背部に排気口形成体（排気口形成体９３の形態のみならず多様な形態がある）を一体的に設けてなるものもよい。
【００４０】
＜実施の形態１０＞  図１８は本発明の実施の形態１０の吸引機（吸出機）を示す断面図である吸引機（吸出機）１００は、換気管１０１は二重管となっていて、内側管１０２の内側路１１５は吸引を行い外側管１０３の外側路１１６は排気を行なうようなっている。吸引機（吸出機）本体１０４も二重構造となっており、集塵袋１０５と吸引ファン１０６が収納され内側路１１５が連絡される内側路部１０７と、吸引され吸引ファン１０６から排出された排気を外側路１１６に回し送るための外側路部１０８を有する構造となっている。吸引機（吸出機）本体１０４の背部には排気孔１０９があけられ、通常の吸引機（吸出機）としての使用では塞ぎ蓋１１０により排気孔１０９を塞いで使用する。吸引機（吸出機）として使用する場合は、換気管１０１の外側管１０３のホース元口を塞ぐリング状の塞ぎ手段１１１を装着して、排気口１０９をあけ排気ホース１１２を取り付けて使用する。これにより、排気を屋外に排出することができるようになる。また図示しないが、このほかに、排気口１０９を吸引ファン排気口１１３より排気口Ａとして、排気口Ａから排気が外側路部１０に行かないように該１０を塞ぐ筒上の仕切体をしれて、排気が背部に排出されるようにするなどの構成もよい。
【００４１】
＜実施の形態１１＞  図１９は本発明の実施の形態１１の戸の隙間塞ぎ具を示す斜視図である。戸の隙間塞ぎ具１２０は合成樹脂製の板部材からなっていて、縦にヒンジー部１２１が設けられ、右側が戸口側に粘着剤やビスなどにより固定される固定部１２２となっていて、もう一方の側が幅広に形成されたヒンジー部１２１により回動する隙間塞ぎ部１２３となっている。戸口に使用する例えば排気口形成体１などの高さに合わせた長さと高さで固定しておくことにより、戸口を塞ぐことがほとんど煩わしさを感じることなく行えるので大変便利である。
【００４２】
＜実施の形態１２＞
図２０は本発明の実施の形態１２の戸の脱臭ボックスを示す斜視図である。脱臭ボックス１２５は、前部が開口１３１してなるボックス本体１２６（底部は合ってもなくてもよい）と、ボックス本体１２６の底部の外側に突出設けられた、重石１２７（雑誌束など）を載せてボックス本体の安定を図るための重石載せ部１３５と、ボックス本体１２６の中程より上方にあけられた、ボックス本体内１２６の臭気を吸引し外に排出するための吸引ダクト１２８（ホース含む）を差し込み取り付けるためのダクト差込口１２９と、ダクト差込口１２９に外側から挿入された吸引ダクト１２８を包み外れないように固定するための、差込口１２９の外側に突出するように柔軟性シート部材製からなるシートダクト１３０が設けられてなる構成となっている。紐１３３でシートダクト１３０を通しダクト差込口１２９に差し込んだ吸引ダクト１２８を、紐１３３でシートダクト１３０ごと縛り閉めて吸引ダクト１２８を包み締めて固定する。吸引ダクト１２８をつなげる吸引機（吸出機）は、吸引機（吸出機）８０などの連続低騒音運転が行えるものを使用する。従来技術においては、屋内で飼うペットの排尿便は消臭効果のある排便シートなどを家屋の適当な場所の床に敷いて、そこに排尿便させていた。しかし、消臭機能があるといっても、便などの臭気を完全に無くすことは出来ず、結果屋内に臭気が広がり、カーテン等に染みつくという問題を持つものであった。また、臭気を広げないためには、こまめに臭気シートを交換することになり、経済的負担が大きくなるという問題を持つものであった。また、使用済み臭気シートは焼却ゴミとして廃棄されることが多く、ゴミ問題の要因をつくる一つとなっている。こうした中で、床に容易には動かないように安定的に簡単に置いておくこができ、臭気を１００パーセント脱臭でき且つ経済的負担を軽減し、ゴミ量を減らすことが課題となっていた。
【００４３】
＜実施の形態１３＞  図２１及び図２２に示す本発明の実施の形態１３において１４０は換気装置であって、この換気装置１４０は掃除機からなる吸引機（吸出機）１４１と、換気用部材連結具１４２と、管内径略６センチ以上の太いフレキシブル管からなる吸引管１４３と、脱臭ボックス１４４と、数本の結束バンド１４５とからなっている。吸引機（吸出機）１４１は掃除機の前蓋容器部を取り除いた状態のものである。換気用部材連結具１４２は四角形状筒体からなる排気口形成体１４６と、該１４６の前部に設けられた合成樹脂製部材やゴム製部材やこれらと布製部材の混合部材などの非通気性柔軟部材からなる吹き抜け形態に形成されてなる、吸引機（吸出機）１４１を収納することが出来且つ吸引管１４３を入れ結束連結することができる換気用部材連結部１４７とからなっている。「換気用部材連結部」の「換気用部材」とは、吸引あるいは排気のいずれか一方の目的を達成するものを意味している。脱臭ボックス１４４は前部が開口してなる四角体の脱臭ボックス本体１４８と、該１４８の背部上方、側部上方あるいは天井部に設けられた、ボックス内の吸気を該ボックス外に吸い出すための直径略６センチ以上の吸出し口１４９と、該１４９の外側に設けられた換気用部材連結１４７と同じような素材からなり吹き抜け体である換気用部材連結部１５０とからなっている。結束バンド１４５はゴム製などの弾性伸縮部材からなっていて、その両端側に面ファスナー（図示せず）が設けられ、結束と結束解除が容易に出来るようになっている。図２２に示すように、吸引機（吸出機）１４１を電源コード２５を入り口側から引き出した状態にして換気用部材連結部１４７に前方入り口から入れ収納して、換気用部材連結部１４７と一体になるように吸引機（吸出機）１４１の前部を結束するように結束バンド１４５で締め結束する。吸引管１４３の一方側を吸引排気部材連結部１４７で覆い結束バンド１４５で結束連結する。吸引管１４３のもう一方の側を脱臭ボックス１４４の換気用部材連結部１５０に入れ結束バンド１４５で結束連結する。このような構成にすることより、太さの多様な吸引管や排気管、多様な胴太さの吸引機（吸出機）を使用して、それらの換気用部材の大きさに対応させて安価な吸換気装置を簡単に構築できるという効果を奏する。また、吸引管が太いので吸引口の音が静かで騒音が小さくできるという効果を奏する。また、掃除機の前蓋容器部を取り除いた状態の吸引部本体のみを使用することにより、細い吸引口により引き起こす騒音を解消するとともに、吸引力をアップするという効果を奏する。排気口形成体は筒状のもの、開口部を有する板部材からなるものなどいろいろである。
（附記）
＜請求項１＞  排気口形成体と、この排気口形成体の前部に設けられた、合成樹脂製部材やゴム製部材やこれらと布製部材の混合部材などの非通気性柔軟部材からなる吹き抜け形態に形成されて且つ開口部を紐や結束バンドなどの結束部材により結束閉めることができる柔軟性の、吸引機（吸出機）や吸引管や排気管などの換気用部材を結束部材で結束連結することができる換気用部材連結部とからなることを特徴とする換気用部材連結具。「換気用部材連結部」の「換気用部材」とは、吸出機、管、排気口形成体、脱臭ボックスなど換気の目的を達成するための部材や装置のことを意味する。このような構成にすることより、太さの多様な吸引管や排気管、多様な胴太さの吸引機（吸出機）を使用して、それらの換気用部材の大きさに対応させて安価な吸換気装置を簡単に構築できるという効果を奏する。
＜請求項２＞排気口形成体が戸口に戸で挟みつける四角形筒体の形状をしてなるものであることを特徴とする請求項１記載の換気用部材連結具。
＜請求項３＞吸引機（吸出機）と、この吸引機（吸出機）の前部及び後部あるいはいずれか一方に突出するように設けられた、合成樹脂製部材やゴム製部材やこれらと布製部材の混合部材などの非通気性柔軟部材からなる吹き抜け形態に形成されてなる、吸引管や排気管などの換気用部材を結束連結することができる換気用部材連結部とからなることを特徴とする換気用部材連結具。
＜請求項４＞気体を流すための管や電気掃除機・電動換気扇などの吸引機（吸出機）などの換気用部材を連結する方法であって、合成樹脂製部材やゴム製部材やこれらと布製部材の混合部材などの非通気性柔軟部材からなる吹き抜け形態に形成されて且つ開口部を紐や結束バンドなどの結束部材により結束閉めることができる柔軟性の、吸引機（吸出機）や吸引管や排気管などの換気用部材を結束部材で結束連結することができる、換気用部材に取付けられた換気用部材連結部あるいは吸排気用連結部材で前記換気用部材を連結することを特徴とする換気用部材の連結方法。
＜請求項５＞吸引機（吸出機）と、前部が開口し且つ吸引口を備えた脱臭ボックスと、この脱臭ボックスの前記吸引口と前記吸引機（吸出機）を連絡して前記脱臭ボックス内の空気を吸引機（吸出機）に流すための吸引管あるいは前記吸引機（吸出機）を前記脱臭ボックスの前記吸引口に取り付けその吸引機（吸出機）からの排気を屋外等に排気させるための排気管からなる通気管と、この通気管と前記吸引機（吸出機）を連結したり連絡するための合成樹脂製部材やゴム製部材やこれらと布製部材の混合部材などの非通気性柔軟部材からなる吹き抜け形態に形成されて且つ開口部を紐や結束バンドなどの結束部材により結束閉めることができる柔軟性の、吸引機（吸出機）や吸引管や排気管などの換気用部材を結束部材で結束連結することができる、換気用部材に取付けられた換気用部材連結部あるいは吸排気用連結部材とからなることを特徴とする喚起装置。で前記換気用部材を連結することを特徴とする。
【００４４】
＜実施の形態１４＞  図２３及び図２４に示す本発明の実施の形態１４において１５２は換気装置であり、この換気装置１５２の前記実施の形態１３と主に相違する点は、吸引機（吸出機）を静音設計の吸引機（吸出機）１５３にした点にある。吸引機（吸出機）１５３は溜め込みトイレの排気筒の先端や中腹に設けるブラシレスモーター１５５を使用した排臭用電動換気扇１５４を取り付けたもので、排気量が少ない場合は複数設けたものがよい。静音設計でブラシレスモーターであるので、２４時間作動させて、介護などされる者などの加齢臭が尿臭などの悪臭、ペットのトイレの臭気を排気させるなどのこともできるとともに、集合住宅や夜間でも近所に気兼ねなく使用する事が出来るという効果を奏する。
【００４５】
＜実施の形態１５＞  図２５に示す本発明の実施の形態１５において１５６は換気装置であり、この換気装置１５６の前記実施の形態１４と主に相違する点は、換気用部材連結具の構成を排気口形成体１４６と換気用部材連結部１４７を分離した構成とした換気用部材連結具１５７とし、排気口形成体１４６と換気用部材連結部１４７は結束バンド１４５で結束連結して使用するような構成とした点にある。
【００４６】
＜実施の形態１６＞  図２６に示す本発明の実施の形態１６において１５８は換気装置であり、この換気装置１５８の前記実施の形態１５と主に相違する点は、吸引管１４３と吸引機（吸出機）１５３の連結は独立した換気用部材連結部１５９で結束連結し、吸引機（吸出機）１５３と排気口形成体１４６の連結は独立した換気用部材連結部１６０で結束連結するようにした点にある。
【００４７】
＜実施の形態１７＞  図２７に示す本発明の実施の形態１７において１６２は換気装置であり、この換気装置１６２の前記実施の形態１４と主に相違する点は、吸引機（吸出機）１５３を換気用部材連結部１６３の中ほどに収納して吸引機（吸出機）１５３と換気用部材連結部１６３を密着固定して、換気用部材連結具１６４を形成した点にある。当然、排気口形成体１４６には換気用部材連結部１６３は設けない。
【００４８】
＜実施の形態１８＞  図２８に示す本発明の実施の形態１８において１６５は換気装置であり、この換気装置１６５の前記実施の形態１４と主に相違する点は、吸引機（吸出機）１５３を脱臭ボックスを吸引機（吸出機）を該脱臭ボックスに直接取り付けた吸引機（吸出機）付脱臭ボックス１６６とした点にある。１６７は吸引機（吸出機）１５３の重みでボックスが不安定とならないようにするための拡張部である。したがって、吸引管１４３は換気用部材連結部１５０と換気用部材連結部１４７に結束連結される。
【００４９】
＜実施の形態１９＞  図２９に示す本発明の実施の形態１９において１６８は換気用部材連結具であり、前記実施の形態１３の換気用部材連結具１４２と主に相違する点は、排気口形成体１４６の上部に該１４６よりも幅広の戸の隙間塞ぎ具６を接着などにより固定した点にある。
【００５０】
＜実施の形態２０＞  図３０に示す本発明の実施の形態２０において１７０は換気装置であり、この換気装置１７０の前記実施の形態１４と主に相違する点は、吸引機（吸出機）１５３と排気口形成体１４６を直接連結し換気用部材連結部１７１を吸引機（吸出機）１５３に密着固定させて設けた構成にし、換気用部材連結部１７１と吸引機（吸出機）１５３と排気口形成体１４６とで換気用部材連結具１７２を形成した点にある。
【００５１】
【発明の効果】
本発明は以上述べたようになっているので、次ぎに述べるような効果を奏する。
＜請求項１記載の発明の効果＞  
屋内に置いた吸引機（吸出機）収納部に吸引機（吸出機）を収納し、戸の隙間から屋外に出した排出ダクト部から吸引機（吸出機）の排気を屋外に排出するものであるので、屋外に縁側などが無くても簡単に吸引機（吸出機）の排気を屋外に排出することができるという効果を奏する。本排気捕縄具はダンボール製部材などの安価な部材で製作することができ、極めて安価に提供できるものである。これにより、特別な装置などの設置無しに安価に、介護などされる者のオムツ交換時の臭気を屋外に強制排気しながらのオムツ交換作業や、延長換気管を使用しての吸引機（吸出機）による部屋の掃除時の排気を簡単に屋外に排気しながら行えるなどを実現するものである。
【００５２】
＜請求項２記載の発明の効果＞  
前部および後部が開口してなる柔軟性シート状部材にしているので、前の開口から吸引機（吸出機）収納部に電源コードを引き出した状態で吸引機（吸出機）を収納し、換気管を取り付け、柔軟シート状部材の開口を紐などで閉じ締めることにより、電源コードと換気管を屋内外に出すと共に、前部開口を塞ぐことが簡単に出来るものである。これにより、吸引機（吸出機）の吸引機（吸出機）収納部への出し入れが簡単敏速に行えるという効果を奏する。また、電源コードを出すための穴を設けるとか、排気口形成体から屋外に一旦だして屋内に回しこみいれるなどの、電源コード引き回しの面倒な操作が全く必要のない大変使い吸引機（吸出機）の排気補助具を実現するという効果を奏する。また、吸引機（吸出機）収納部の前部を柔軟性シート状部材とすることにより、吸引機（吸出機）を収納したまま、シート上から吸引機（吸出機）の取っ手を立て持って他の部屋に持ち運び、戸に排気口形成体を挟んで使用することが容易に行えるという効果を奏する。
【００５３】
＜請求項３記載の発明の効果＞  
請求項２記載の発明の効果に加えて、吸引機（吸出機）収納部の構成が四角形の排気口形成体と略同じ開口面積の開口を前後に有する柔軟性シート部材製の筒状体であって、前記排気口形成体が前記吸引機（吸出機）収納部を取り付けたまま平ら状態に押し畳むことができるようにしてなるものであるので、平ら状態に折り畳んで包装し、輸送し、提供できるので、輸送費や保管費などを安価にできると共に販売面積を少なくできるので店舗での販売がし易く、また、購入者も手に持帰ることができ、車のなかでも場所をとらないで運べるという効果を奏する。また、使用しないときは折り畳んでおけるので場所をとらず大変便利であるという効果を奏する。また排気口形成体が四角形であるので、戸口枠に戸により挟んだ場合、四角形状がほじされるという効果を奏する。
【００５４】
＜請求項４記載の発明の効果＞  
【００５５】
＜請求項５記載の発明の効果＞  
【００５６】
【００５７】
【００５８】
【００５９】
【００６０】
＜請求項６記載の発明の効果＞  
介護などされる者の臀部横に脱臭ボックスを置き、あるいはペットの排泄場所に脱臭ボックスを置き、吸引機（吸出機）からの吸引ダクトを繋いでおくことにより、介護などされる者の臭気を常時屋外に排出し続けて、臭気が部屋に残らないようにすることが可能となるという効果を奏する。
また、箱体の前部が開口され、該開口に筒状の柔軟性シート状部材からなる前部塞ぎ部を設けてなる構成としたので、前部塞ぎ部に吸引ダクトを粘着テープなどで簡単に取り付けることができるので、吸引ダクトを取り付けるための特別の構成が必要なく、装置を安価にできるという効果を奏する。また、どのような太さの吸引ダクトでも簡単に取り付けられるので大変便利である。
【００６１】
【００６２】
＜請求項８記載の発明の効果＞  
【００６３】
＜請求項７記載の発明の効果＞  
請求項２記載の発明の効果と同じ効果に加えて、介護などされる者の臀部横に置いて使用する脱臭ボックス（吸引機（吸出機）と換気管で連絡する）を設けた構成であるので、介護などされる者のオムツ交換時の臭気を強力に吸引し屋外に排出することができるという効果を奏する。これにより、介護は「臭いとの闘い」とも言われる状況を多く改善して、臭気を殆ど気にせずに介護ができるようになるという効果を奏する。
【００６４】
【００６５】
【００６６】
【００６７】
＜請求項９記載の発明の効果＞  
ダクト差込口に差し込まれた吸引ダクトを包み外れないように固定するための柔軟性シート部材からなるシートダクトを設けた構成としたので，シートダクトに吸引ダクトを通し差込口に差込シートダクトを紐や粘着テープなどで包み閉じ締めて、隙間なく差込口に吸引ダクトを外れないように簡単容易に固定することたできるという効果を奏する。結果的に差込口と吸引ダクトの間に隙間をつくらないことと同じになり、効果的にボックス内の臭気を吸引することができるという効果を奏する。
【００６８】
【００６９】
【図面の簡単な説明】
【図１】 本発明の本発明の実施の形態１の吸引機（吸出機）補具の平ら状態にした斜視図。
【図２】 本発明の実施の形態１の吸引機（吸出機）補助具を筒体にした状態を示す斜視図。
【図３】 本発明の実施の形態の戸の隙間塞ぎ具を示す斜視図。
【図４】 本発明の実施の形態１の戸の隙間塞ぎ具の戸への取付状態を示す斜視図。
【図５】 本発明の実施の形態１の吸引機（吸出機）補助具を戸と戸口枠に挟み戸の隙間に戸の隙間塞ぎ具をセットした状態を示す斜視図。
【図６】 本発明の実施の形態１の吸引機（吸出機）補助具の吸引機（吸出機）収納部に吸引機（吸出機）を収納した状態を示す部分斜視図。
【図７】 本発明の実施の形態１の吸引機（吸出機）補助具の吸引機（吸出機）収納部に吸引機（吸出機）を収納し開口を閉じた状態を示す斜視図。
【図８】 本発明の実施の形態１の脱臭ボックスに吸引機（吸出機）の換気管を接続した状態を示す斜視図。
【図９】 本発明の実施の形態１の脱臭装置の使用状態例を示す斜視図。
【図１０】 本発明の実施の形態２の吸引機（吸出機）補助具を示す斜視図。
【図１１】 本発明の実施の形態３の吸引機（吸出機）補助具を示す組立分解図及び組立使用図。
【図１２】 本発明の実施の形態４の吸引機（吸出機）補助具の製造工程を示す斜視図。
【図１３】 本発明の実施の形態４の吸引機（吸出機）補助具の製造工程を示す斜視図。
【図１４】 本発明の実施の形態６の吸引機（吸出機）補助具の使用状態を示す斜視図。
【図１５】 本発明の実施の形態７の吸引機（吸出機）を示す断面図。
【図１６】 本発明の実施の形態８の吸引機（吸出機）を示す斜視図。
【図１７】 本発明の実施の形態９の吸引機（吸出機）を示す斜視図。
【図１８】 本発明の実施の形態１０の吸引機（吸出機）を示す断面図。
【図１９】 本発明の実施の形態１１の戸の隙間塞ぎ具を示す斜視図。
【図２０】 本発明の実施の形態１２の戸の脱臭ボックスを示す斜視図。
【図２１】 本発明の実施の形態１３の組み立て前の構成部材概念図。
【図２２】 本発明の実施の形態１３の組み立て概念図。
【図２３】 本発明の実施の形態１４の組み立て概念図。
【図２４】 図２３の部分図。
【図２５】 本発明の実施の形態１５の組み立て概念図。
【図２６】 本発明の実施の形態１６の組み立て概念図。
【図２７】 本発明の実施の形態１７の組み立て概念図。
【図２８】 本発明の実施の形態１８の組み立て概念図。
【図２９】 本発明の実施の形態１９の斜視図。
【図３０】 本発明の実施の形態２０の組み立て概念図。
【符号の説明】
１：脱臭装置
２：吸引機（吸出機）
３：換気管
４：脱臭ボックス
５：吸引機（吸出機）補助具
６：戸の隙間塞ぎ具
７：排気口形成体
８：吸引機（吸出機）収納部
９：戸ストッパー
１０：戸
１１：戸口枠
１２：隙間塞ぎ具係止部
１３：抑え舌片
１４：締め閉じ手段
１７：塞ぎ具本体
１８：折り目
１９：取付手段
２０：取付案内部
２１：挟持爪
２２：操作レバー
２５：電源コード
３０：ボックス本体
３１：開口部
３２：換気管取付部
３３：被さり部
３４：身体入り部
３５：底部床
３６：臀部入り部
３７：立ち上げ縁
４０：吸引機（吸出機）補助具
４１：隙間塞ぎ係止部
４３：吸引機（吸出機）補助具
４４：排気口形成体
４５：ダクト対応部
４６：吸引機（吸出機）収納部
４７：柔軟性筒体
４８：戸ストッパー
４９：隙間塞ぎ具係止部
５０：縛り紐
５２：吸引機（吸出機）補助具
５３：接着剤
５４：ダクト対応部
５５：吸引機（吸出機）収納部
５６：柔軟性シート製部材
５７：接合部
６０：吸引機（吸出機）補助具
６１：胴部取付体
６３：換気用部材連結具
６４：吸引機（吸出機）収納部
６５：排気口形成体
６６：蓋
６７：柔軟性防音部材
６８：引き出し穴閉じ部
６９：紐
７０：引き出し穴
７１：吸引機（吸出機）
７２：筐体（箱体）
７３：排気ファン（吸引機（吸出機）・換気扇）
７４：防震手段
７５：戸の隙間塞ぎ具
７６：排気口形成体通し孔
７７：吸引ダクト
８０：吸引機（吸出機）
８１：箱体
８２：前部塞ぎ部（開口閉じ体）
８３：係止板
８４：固定ネジ
８５：排気ファン
８６：防震手段
８７：固定用孔
９０：吸引機（吸出機）
９１：吸引機（吸出機）本体
９２：排気口
９３：排気口形成体
９４：戸ストッパー
９５：抜け防止ボタン
９６：溝
１００：吸引機（吸出機）
１０１：換気管
１０２：内側管
１０３：外側管
１０４：吸引機（吸出機）本体
１０５：集塵袋
１０６：吸引ファン
１０７：内側路部
１０８：外側路部
１０９：排気孔
１１０：塞ぎ蓋
１１１：塞ぎ手段
１１２：排気ホース
１１３：吸引ファン排気口
１１５：内側路
１１６：外側路
１２０：戸の隙間塞ぎ具
１２１：ヒンジー部
１２２：固定部
１２３：隙間塞ぎ部
１２４：ビス穴
１２５：脱臭ボックス
１２６：ボックス本体
１２７：重石
１２８：吸引ダクト
１２９：ダクト差込口
１３０：シートダクト
１３１：開口
１３３：紐
１３５：重石載せ部
１４０：換気装置
１４１：吸引機（吸出機）
１４２：換気用部材連結具
１４３：吸引管
１４４：脱臭ボックス
１４５：結束バンド
１４６：排気口形成体
１４７：換気用部材連結部
１４８：脱臭ボックス本体
１４９：吸出し口
１５０：換気用部材連結部
１５２：換気装置
１５３：吸引機（吸出機）
１５４：排臭用電動換気扇
１５５：ブラシレスモーター
１５６：換気装置
１５７：換気用部材連結具
１５８：換気装置
１５９：換気用部材連結部
１６０：換気用部材連結部
１６２：換気装置
１６３：換気用部材連結部
１６４：換気用部材連結具
１６５：換気装置
１６６：吸引機（吸出機）付脱臭ボックス
１６７：拡張部
１６８：換気用部材連結具
１７０：換気装置
１７１：換気用部材連結部
１７２：換気用部材連結具
【図１】
0004108963.tif 000002
【図２】
0004108963.tif 000003
【図３】
0004108963.tif 000004
【図４】
0004108963.tif 000005
【図５】
0004108963.tif 000006
【図６】
0004108963.tif 000007
【図７】
0004108963.tif 000008
【図８】
0004108963.tif 000009
【図９】
0004108963.tif 000010
【図１０】
0004108963.tif 000011
【図１１】
0004108963.tif 000012
【図１２】
0004108963.tif 000013
【図１３】
0004108963.tif 000014
【図１４】
0004108963.tif 000015
【図１５】
0004108963.tif 000016
【図１６】
0004108963.tif 000017
【図１７】
0004108963.tif 000018
【図１８】
0004108963.tif 000019
【図１９】
0004108963.tif 000020
【図２０】
0004108963.tif 000021
【図２１】
0004108963.tif 000022
【図２２】
0004108963.tif 000023
【図２３】
0004108963.tif 000024
【図２４】
0004108963.tif 000025
【図２５】
0004108963.tif 000026
【図２６】
0004108963.tif 000027
【図２７】
0004108963.tif 000028
【図２８】
0004108963.tif 000029
【図２９】
0004108963.tif 000030
【図３０】
0004108963.tif 000031